(57)【要約】【課題】混合された有機溶剤（汚濁液）を除去する。【解決手段】有機溶剤含有廃液洗浄システム１は、有機溶剤が混入されている廃液を曝気処理する曝気処理工程Ｂと、曝気処理で気化した有機溶剤が混入する排ガスを処理し清浄空気として大気に放出する排ガス処理工程Ｃと、曝気処理で有機溶剤が気化して放出されて生成された洗浄液を送出す洗浄液送出工程Ｄとを備える。【選択図】図１
2004089884.tif 000002
【特許請求の範囲】
【請求項１】
有機溶剤が混入されている廃液を曝気処理する曝気処理工程と、曝気処理で気化した有機溶剤が混入する排ガスを処理し清浄空気として大気に放出する排ガス処理工程と、曝気処理で有機溶剤が気化して放出されて生成された洗浄液を送出す洗浄液送出工程とを備えることを特徴とする有機溶剤含有廃液洗浄システム。
【請求項２】
有機溶剤が混入されている廃液を曝気処理する曝気処理装置と、曝気処理で気化した有機溶剤が混入する排ガスを処理し清浄空気として大気に放出する排ガス処理装置と、曝気処理で有機溶剤が気化して放出されて生成された洗浄液を送出す洗浄液送出装置とを備えることを特徴とする有機溶剤含有廃液洗浄装置。
【請求項３】
前記曝気処理装置を複数備え、この複数の曝気処理装置に順に有機溶剤が混入されている廃液を供給し、前記複数の曝気処理装置毎に曝気処理で気化した有機溶剤が混入する排ガスを前記排ガス処理装置へ送り、前記複数の曝気処理装置から前記洗浄液送出装置により洗浄液を送出すことを特徴とする請求項２に記載の有機溶剤含有廃液洗浄装置。
【発明の詳細な説明】
【０００１】
【発明の属する技術分野】
この発明は、有機溶剤含有廃液洗浄システム及び有機溶剤含有廃液洗浄装置に関する。
【０００２】
【従来の技術】
例えば、脱脂剤として使用されたテトラクロロエチレン・トリクロエチレン等有機溶剤は、取扱量が少量のために他の廃油・廃水等に混合（汚濁液となる）して排出されている。
【０００３】
【発明が解決しようとする課題】
ところで、環境上、これらの有機溶剤（汚濁液）をリサイクル・廃水処理することが要求されているが、リサイクル・廃水処理するのに通常行なわれている油水分離法及び微生物処理では不可能である。
【０００４】
この発明は、かかる実情に鑑みてなされたもので、混合された有機溶剤（汚濁液）を除去する有機溶剤含有廃液洗浄システム及び有機溶剤含有廃液洗浄装置を提供することを目的としている。
【０００５】
【課題を解決するための手段】
前記課題を解決し、かつ目的を達成するために、この発明は、以下のように構成した。
【０００６】
請求項１に記載の発明は、有機溶剤が混入されている廃液を曝気処理する曝気処理工程と、曝気処理で気化した有機溶剤が混入する排ガスを処理し清浄空気として大気に放出する排ガス処理工程と、曝気処理で有機溶剤が気化して放出されて生成された洗浄液を送出す洗浄液送出工程とを備えることを特徴とする有機溶剤含有廃液洗浄システムである。
【０００７】
この請求項１に記載の発明によれば、有機溶剤が混入されている廃液を曝気処理し、有機溶剤を気化させて有機溶剤が混入する排ガスを処理し清浄空気として大気に放出し、有機溶剤が気化して放出されて生成された洗浄液を送出し、混合された有機溶剤を除去する。
【０００８】
請求項２に記載の発明は、有機溶剤が混入されている廃液を曝気処理する曝気処理装置と、曝気処理で気化した有機溶剤が混入する排ガスを処理し清浄空気として大気に放出する排ガス処理装置と、曝気処理で有機溶剤が気化して放出されて生成された洗浄液を送出す洗浄液送出装置とを備えることを特徴とする有機溶剤含有廃液洗浄装置である。
【０００９】
この請求項２に記載の発明によれば、有機溶剤が混入されている廃液を曝気処理し、有機溶剤を気化させて有機溶剤が混入する排ガスを処理し清浄空気として大気に放出し、有機溶剤が気化して放出されて生成された洗浄液を送出し、混合された有機溶剤を除去する。
【００１０】
請求項３に記載の発明は、前記曝気処理装置を複数備え、この複数の曝気処理装置に順に有機溶剤が混入されている廃液を供給し、前記複数の曝気処理装置毎に曝気処理で気化した有機溶剤が混入する排ガスを前記排ガス処理装置へ送り、前記複数の曝気処理装置から前記洗浄液送出装置により洗浄液を送出すことを特徴とする請求項２に記載の有機溶剤含有廃液洗浄装置である。
【００１１】
この請求項３に記載の発明によれば、曝気処理装置を複数備えることで、連続運転して混合された有機溶剤を除去することができる。
【００１２】
【発明の実施の形態】
以下、この発明の有機溶剤含有廃液洗浄システム及び有機溶剤含有廃液洗浄装置の実施の形態を、図面に基づいて説明するが、この発明は、この実施の形態に限定されない。
【００１３】
図１は有機溶剤含有廃液洗浄システム及び有機溶剤含有廃液洗浄装置の概略図、図２は曝気エアーノズルの斜視図、図３は浮上槽の断面図である。この実施の形態の有機溶剤含有廃液洗浄システム１は、供給工程Ａ、曝気処理工程Ｂと、排ガス処理工程Ｃと、洗浄液送出工程Ｄとを有する。
【００１４】
供給工程Ａには、テトラクロロエチレン・トリクロエチレン等有機溶剤（汚濁液）の混入した廃水または廃油等の有機溶剤含有廃液を曝気処理工程Ｂに供給する入口ライン１０が備えられている。
【００１５】
この入口ライン１０には自動弁１１と、自動弁１１の前後に配置された切換弁１２，１３と、切換弁１２，１３の前後を連通したバイパスライン１４と、バイパスライン１４に備えられた切換弁１５とが配置され、ポンプ等の駆動で有機溶剤含有廃液を曝気処理工程Ｂに供給する。
【００１６】
曝気処理工程Ｂは、曝気処理装置２が備えられ、この曝気処理装置２で有機溶剤が混入されている廃液を曝気処理する。
【００１７】
曝気処理装置２の浮上槽２１には、下部に曝気エアーノズル２２とスチームヒータ２３が配置され、さらに温度調節器Ｓ１が配置されている。浮上槽２１の容積は、例えば１／３は空間となるように容量決定が行なわれ、曝気処理が容易に行なうことができるようになっている。この浮上槽２１内の空間は、目盛８０によって確認することができるようになっている。
【００１８】
曝気エアーノズル２２には、曝気エアーライン２４から曝気エアーが供給される。この曝気エアーライン２４には、自動弁２５と、自動弁２５の前後に配置された切換弁２６，２７とが配置され、曝気エアーを曝気エアーノズル２２に供給する。
【００１９】
曝気エアーノズル２２は、供給する曝気エアーを効率良く全体攪拌する装置であり、浮上槽２１内に配置される曝気エアーノズル２２は、例えば１〜３本の空気用小孔２２ａ（孔径、孔個数等は曝気計算による）が開けられたＳＵＳパイプで構成される。空気用小孔２２ａの方向は、図２及び図３に示すように、例えば下向き２０〜３０度並列２列で曝気エアーが浮上槽２１内の底面から吹き上がるようにする。
【００２０】
また、浮上槽２１の断面形状は、図３に示すように、円形状が好ましく、曝気エアーノズル２２は、浮上槽２１の下部に沿って配置され、曝気エアーは浮上槽２１の内壁に衝突して下方から上方に浮き上がり、浮上槽２１内を攪拌する。
【００２１】
混入している有機溶剤のほとんどの比重は母液より重いため沈殿しているが浮上槽２１の下部より曝気エアーノズル２２で全体攪拌し大気と接触させるために、曝気エアーを用いる。浮上槽２１に供給された有機溶剤含有廃液が、曝気エアーノズル２２より上方にある間曝気エアーの供給は止めない。
【００２２】
スチームヒータ２３には、スチームライン３０からスチームが供給される。このスチームライン３０には、自動弁３１と、自動弁３１の前後に配置された切換弁３２，３３とが配置され、スチームをスチームヒータ２３に供給する。
【００２３】
スチームヒータ２３は、スチーム蛇管で構成される。このスチームヒータ２３は、温度調節器Ｓ１の温度情報に基づきスチームライン３０の自動弁３１のＯＮ、ＯＦＦでスチーム入・切が行なわれ、これによりスチーム量調整が行なわれる。スチームは、有機溶剤含有廃液の母液の粘液低下・有機溶剤の蒸発補助のため、浮上槽２１の有機溶剤含有廃液がスチームヒータ２３より上方にある間、スチームは止めない。
【００２４】
排ガス処理工程Ｃは、曝気処理で気化した有機溶剤が混入する排ガスを例えば脱臭や酸化分解等の処理を行ない清浄空気として大気に放出する。この排ガス処理工程Ｃには、排気ライン４０と、排気ライン４０に配置される排ガス処理装置４１及び排気ブロア４２が備えられている。排気ライン４０は、浮上槽２１の上部に接続され、この排気ライン４０には、自動弁４３と、自動弁４３の前後に配置された切換弁４４，４５と、切換弁４４，４５の前後を連通したバイパスライン４６と、バイパスライン４６に備えられた切換弁４７とが配置され、曝気処理で気化した有機溶剤が混入する排ガスを排出する。
【００２５】
排気ブロア４２は、浮上槽２１内の上部空間部に放出され、気体状となった有機溶剤ガスを浮上槽２１から抜き出す装置であり、全体装置の運転中は停止しない。排気ブロア４２の能力選定は浮上槽２１へ送り込まれる曝気エアー量を上回った吸引能力を要する。
【００２６】
排ガス処理装置４１は、水切り室４１ａ、水分吸着室４１ｂ、臭気吸着室４１ｃの３室で構成される。水切り室４１ａでまず水切りを行ない、水分吸着室４１ｂの活性炭で水分を吸着し、さらに臭気吸着室４１ｃの活性炭によって、排気ブロア４２で吸い出された排気の中に含んだ溶剤を吸着させ、浮上槽２１から抜き出した排ガスを洗浄して洗浄空気出口９０から排出する。
【００２７】
水切り室４１ａに溜るドレンは、排出弁６０によって取り出される。また、水分吸着室４１ｂには、供給弁６１によって空気が供給される。有機溶剤の含有量によって清浄方法は異なるが、排ガス処理工程Ｃでは清浄空気となって大気中に出される。
【００２８】
この排ガス処理装置４１は、有機溶剤含有廃液中の有機溶剤含有量によって吸着・高温燃焼等を選択する場合がある。高温燃焼は、例えば８００〜９００℃で行なう。
【００２９】
洗浄液送出工程Ｄは、曝気処理で有機溶剤が気化して放出されて生成された洗浄液を送出す。洗浄液送出工程Ｄには、出口ライン５０と、洗浄液送出装置５１とを備えている。洗浄液送出装置５１は、出口ライン５０に配置された自動弁５２と、自動弁５２の前後に配置された切換弁５３，５４と、切換弁５３，５４の前後を連通したバイパスライン５５と、バイパスライン５６とから構成される。浮上槽２１で一定時間曝気された有機溶剤含有廃液は混入していた有機溶剤が除去され清浄液となり、洗浄液送出装置５１の自動弁５２をＯＮし清浄液を抜き出し次処理工程に移送する。
【００３０】
このように、有機溶剤が混入されている廃液を曝気処理し、有機溶剤を気化させて有機溶剤が混入する排ガスを例えば脱臭や酸化分解等の処理を行ない清浄空気として大気に放出し、有機溶剤が気化して放出されて生成された洗浄液を送出し、混合された有機溶剤を除去することができる。
【００３１】
図４は曝気処理装置を複数備える他の実施の形態の有機溶剤含有廃液洗浄システム及び有機溶剤含有廃液洗浄装置の概略図である。この実施の形態は、曝気処理装置２を複数備える点以外は、図１乃至図３の実施の形態と同じ構成であり、同じ符号を付して説明を省略する。
【００３２】
一方の曝気処理装置２の浮上槽２１で一定時間曝気された有機溶剤含有廃液は混入していた有機溶剤が除去され清浄液となり、洗浄液送出装置５１の自動弁５２をＯＮし清浄液を抜き出し次処理工程に移送する。そして、他方の曝気処理装置２の浮上槽２１で一定時間曝気された有機溶剤含有廃液は混入していた有機溶剤が除去され清浄液となり、洗浄液送出装置５１の自動弁５２をＯＮし清浄液を抜き出し次処理工程に移送し、再び元の曝気処理装置２の浮上槽２１で一定時間曝気された有機溶剤含有廃液は混入していた有機溶剤が除去され清浄液となる処理を繰り返す。
【００３３】
このように、一方の曝気処理装置２の浮上槽２１へ有機溶剤含有廃液を供給中に、他方の曝気処理装置２の浮上槽２１の曝気から放出を行ない、この他方の曝気処理装置２の浮上槽２１へ有機溶剤含有廃液を供給中に、一方の曝気処理装置２の浮上槽２１の曝気から放出を行なうことの繰り返しが行なわれる。
【００３４】
この実施の形態では、複数の曝気処理装置２に順に有機溶剤が混入されている廃液を供給し、複数の曝気処理装置２毎に曝気処理で気化した有機溶剤が混入する排ガスを排ガス処理装置４１へ送り、複数の曝気処理装置２から洗浄液送出装置５１により洗浄液を送出し、曝気処理装置２を複数備えることで、連続運転して混合された有機溶剤を除去することができる。
【００３５】
【発明の効果】
前記したように、請求項１に記載の発明では、有機溶剤が混入されている廃液を曝気処理し、有機溶剤を気化させて有機溶剤が混入する排ガスを処理し清浄空気として大気に放出し、有機溶剤が気化して放出されて生成された洗浄液を送出し、混合された有機溶剤を除去する。
【００３６】
請求項２に記載の発明では、有機溶剤が混入されている廃液を曝気処理し、有機溶剤を気化させて有機溶剤が混入する排ガスを処理し清浄空気として大気に放出し、有機溶剤が気化して放出されて生成された洗浄液を送出し、混合された有機溶剤を除去する。
【００３７】
請求項３に記載の発明では、曝気処理装置を複数備えることで、連続運転して混合された有機溶剤を除去することができる。
【図面の簡単な説明】
【図１】有機溶剤含有廃液洗浄システム及び有機溶剤含有廃液洗浄装置の概略図である。
【図２】曝気エアーノズルの斜視図である。
【図３】浮上槽の断面図である。
【図４】曝気処理装置を複数備える他の実施の形態の有機溶剤含有廃液洗浄システム及び有機溶剤含有廃液洗浄装置の概略図である。
【符号の説明】
１　有機溶剤含有廃液洗浄システム
Ａ　供給工程
Ｂ　曝気処理工程
Ｃ　排ガス処理工程
Ｄ　洗浄液送出工程
【図１】
2004089884.tif 000003
【図２】
2004089884.tif 000004
【図３】
2004089884.tif 000005
【図４】
2004089884.tif 000006